(57)【要約】【課題】家具本体に座った人又は横たわった人の直上から人に向かって空気を噴出することができる展開量が変更可能な天蓋を有する天蓋付き家具を提供する。【解決手段】天蓋付き椅子１００は、人１０が座ることが可能な椅子本体１１０と、椅子本体１１０に座った人１０上方を覆い通気性が無い外面材１５２と通気性が有る内面材１５４とを有し展開量が変更可能な天蓋１５０と、天蓋１５０の外面材１５２と内面材１５４との間に空気を送風する送風機構１６０と、を備えている。【選択図】図４
2020018676.tif 000002
【特許請求の範囲】
【請求項１】
人が座ること又は横たわることが可能な家具本体と
前記家具本体に座った人又は横たわった人の上方を覆い、通気性が無い外面と通気性が有る内面とを有し、展開量が変更可能な天蓋と、
前記天蓋の前記外面と前記内面との間に空気を送風する送風手段と、
を備えた天蓋付き家具。
【請求項２】
前記天蓋の展開量に応じて、前記天蓋の前記外面と前記内面との間に送風される空気の風量が調整される、
請求項１に記載の天蓋付き家具。
【請求項３】
前記家具本体は、座部と背もたれ部とを有する椅子であり、
前記天蓋は、前記背もたれ部内又は前記背もたれ部の後方の格納部内に格納される格納量が変更されることで、展開量が変更される、
請求項１又は請求項２に記載の天蓋付き家具。
【請求項４】
前記家具本体は、座部と背もたれ部とを有する椅子であり、
前記天蓋は、前記背もたれ側に折り畳まれる折畳量が変更されることで、展開量が変更される、
請求項１又は請求項２に記載の天蓋付き家具。
【発明の詳細な説明】
【技術分野】
【０００１】
本発明は、天蓋付き家具に関する。
【背景技術】
【０００２】
特許文献１及び特許文献２には、複数の吹出ノズルが内面に形成された天蓋を有する座席に関する技術が開示されている。
【０００３】
特許文献３には、パーティションが仕切って形成する座席装置の専用スペースを上方から覆うことが可能なカバー部材が装備された座席専用空調装置に関する技術が開示されている。
【０００４】
特許文献４には、身体を覆う折り畳み自在且つ収縮自在の帆を冷気又は暖気が送気される枠部材を介して設けたベッドに関する技術が開示されている。
【先行技術文献】
【特許文献】
【０００５】
【特許文献１】実開昭４８−８４５５５号公報
【特許文献２】実開昭４８−８７８５８号公報
【特許文献３】特開２００６−１０２０６１号公報
【特許文献４】実開平４−４５４５６号公報
【発明の概要】
【発明が解決しようとする課題】
【０００６】
特許文献１及び特許文献２では、複数の吹出ノズルが天蓋の内面に形成されているが、天蓋は展開量を変更することはできない。
【０００７】
特許文献３では、カバー部材は展開量を変更可能であるが、天蓋の内面からは空気を噴出することはできない。
【０００８】
特許文献４では、身体を覆う折り畳み自在且つ収縮自在の帆を支持する枠部材から冷気又は暖気が送気される。よって、帆の内面からは空気を噴出することができないので、ベッドに横たわった人の直上から空気を噴出することはできない。
【０００９】
本発明は上記事実に鑑み、家具本体に座った人又は横たわった人の直上から人に向かって空気を噴出することができる展開量が変更可能な天蓋を有する天蓋付き家具を提供することが目的である。
【課題を解決するための手段】
【００１０】
第一態様の天蓋付き家具は、人が座ること又は横たわることが可能な家具本体と前記家具本体に座った人又は横たわった人の上方を覆い、通気性が無い外面と通気性が有る内面とを有し、展開量が変更可能な天蓋と、前記天蓋の前記外面と前記内面との間に空気を送風する送風手段と、を備えている。
【００１１】
第一態様の天蓋付き家具では、天蓋の展開量を変更することで、視線カット量や遮音量等を調節することができる。また、天蓋の通気性が無い外面と通気性が有る内面との間に送風手段で送風することで、家具本体に座った人又は横たわった人の直上にある天蓋の内面から空気が人に向かって噴出される。
【００１２】
第二態様の天蓋付き家具は、前記天蓋の展開量に応じて、前記天蓋の前記外面と前記内面との間に送風される空気の風量が調整される。
【００１３】
第二態様の天蓋付き家具では、天蓋の展開量に応じて、天蓋の外面と内面との間に送風される空気の風量を調整することで、天蓋の展開量を小さくしても天蓋の内面から噴出される空気の噴出速度の増加を抑制することができる。
【００１４】
第三態様の天蓋付き家具は、前記家具本体は、座部と背もたれ部とを有する椅子であり、前記天蓋は、前記背もたれ部内又は前記背もたれ部の後方の格納部内に格納される格納量が変更されることで、展開量が変更される。
【００１５】
第三態様の天蓋付き家具では、天蓋の内面から椅子に座った人の周囲を包み込むように空気が噴出する。また、天蓋は、背もたれ部内又は格納部内に格納されるので省スペースである。
【００１６】
第四態様の天蓋付き家具は、前記家具本体は、座部と背もたれ部とを有する椅子であり、前記天蓋は、前記背もたれ側に折り畳まれる折畳量が変更されることで、展開量が変更される。
【００１７】
第四態様の天蓋付き家具では、天蓋の内面から椅子に座った人の周囲を包み込むように空気が噴出する。また、天蓋は、背もたれ部側に折り畳まれるので省スペースである。
【発明の効果】
【００１８】
本発明によれば、家具本体に座った人又は横たわった人の直上にある展開量が変更可能な天蓋から空気を噴出することができる。
【図面の簡単な説明】
【００１９】
【図１】天蓋が全て展開した状態の第一実施形態の天蓋付き椅子を模式的に示す（Ａ）は正面図であり、（Ｂ）はＹ方向に沿った断面図である。
【図２】天蓋が半分展開した状態の第一実施形態の天蓋付き椅子を模式的に示す（Ａ）は正面図であり、（Ｂ）はＹ方向に沿った断面図である。
【図３】天蓋で覆っていない状態の第一実施形態の天蓋付き椅子を模式的に示す（Ａ）は正面図であり、（Ｂ）はＹ方向に沿った断面図である。
【図４】天蓋付き椅子に人が座った状態を模式的に示す（Ａ）は図１（Ｂ）の断面図であり、（Ｂ）は図２（Ｂ）の断面図であり、（Ｃ）は図３（Ｂ）の断面図である。
【図５】天蓋が全て展開した状態の第二実施形態の天蓋付き椅子を模式的に示す（Ａ）は正面図であり、（Ｂ）はＸ方向から見た一部断面の側面図である。
【図６】天蓋が半分展開した状態の第二実施形態の天蓋付き椅子を模式的に示す（Ａ）は正面図であり、（Ｂ）はＸ方向から見た側面図である。
【図７】天蓋で覆っていない状態の第二実施形態の天蓋付き椅子を模式的に示す（Ａ）は正面図であり、（Ｂ）はＸ方向から見た側面図である。
【図８】（Ａ）は第一実施形態の変形例の天蓋付き椅子の要部を模式的に示すＹ方向に沿った拡大断面図であり、（Ｂ）は天蓋の要部の拡大斜視図である。
【図９】第三実施形態の天蓋付きベッドを模式的に示す一部断面の側面図である。
【図１０】送風機構のブロック図である。
【発明を実施するための形態】
【００２０】
＜第一実施形態＞
第一実施形態の天蓋付き椅子について説明する。なお、水平方向の直交する二方向をＸ方向及びＹ方向とし、それぞれ矢印Ｘ及び矢印Ｙで示す。また、鉛直方向をＺ方向とし、矢印Ｚで示す。また、後述する天蓋付き椅子１００における幅方向がＸ方向であり、前後方向がＹ方向である。更に、後述する背もたれ部１３２側が前後方向の後側である。
【００２１】
［構造］
まず、本実施形態の天蓋付き椅子１００の構造について説明する。
【００２２】
図１〜図４に示すように、天蓋付き椅子１００は、人１０（図４参照）が座ることができる椅子本体１１０と、椅子本体１１０に座った人１０（図４参照）の上方を覆う天蓋１５０と、側板部１４０と、送風手段の一例としての送風機構１６０（図１０参照）と、を有している。椅子本体１１０は、座部１３０と、座部１３０の後端部から上方に延びる背もたれ部１３２と、フレーム部１２０と、を有している。
【００２３】
図１（Ｂ）、図２（Ｂ）、図３（Ｂ）及び図４に示すように、フレーム部１２０は、座部側フレーム１２２と背もたれ側フレーム１２４とで、Ｘ方向から見た側面視Ｌ字状をなし、座部１３０及び背もたれ部１３２を支持している。また、フレーム部１２０内の一部は空洞になっており、送風機構１６０（図１０参照）のチャンバー１６２の機能を有している。
【００２４】
なお、本実施形態の椅子本体１１０を構成する座部１３０及び背もたれ部１３２は、フレーム部１２０側から樹脂バネ網状体、化繊不織布及び表面カバーの順番で積層された構造となっているが、これに限定されるものではない。
【００２５】
図１（Ａ）、図２（Ａ）及び図３（Ａ）に示すように、側板部１４０は、椅子本体１１０のＸ方向の両外側に設けられている。
【００２６】
また、図１〜図４に示すように、天蓋１５０は、椅子本体１１０の背もたれ側フレーム１２４の上端部から突出し、椅子本体１１０に座った人１０（図４参照）の上方を覆うように構成されている。
【００２７】
図１（Ｂ）、図２（Ｂ）、図３（Ｂ）及び図４に示すように、天蓋１５０は、外面材１５２と内面材１５４とが面外方向に間隔をあけて配置されている。外面材１５２及び内面材１５４は、容易に湾曲可能な樹脂製の板材で構成されている。また、内面材１５４には、複数の小さな通気孔１５６（図２（Ａ）及び図３（Ａ）も参照）が全面に形成されている。つまり、天蓋１５０は、通気性が無い外面材１５２と通気性を有する内面材１５４とを有している。なお、天蓋１５０の前端部１５０Ａは外面材１５２で構成されている。また、天蓋１５０の後端部１５０Ｂは開口している。
【００２８】
図２（Ｂ）、図３（Ｂ）及び図４に示すように、天蓋１５０は、Ｘ方向の両端部が側板部１４０に形成された凹状のレール１４２に挿入され、嵌め込まれている。また、このレール１４２は、フレーム部１２０の背もたれ側フレーム１２４内にも連続して設けられている。よって、容易に湾曲可能な天蓋１５０は、レール１４２に沿って移動し、図４に示すように、椅子本体１１０に座った人１０の上方を覆う面積、つまり展開量が変更可能に構成されている。別の観点から説明すると、天蓋１５０は、フレーム部１２０の背もたれ側フレーム１２４に収納され、その収納量によって展開量が変更される。
【００２９】
図１（Ｂ）、図２（Ｂ）、図３（Ｂ）、図４及び図１０に示すように、送風機構１６０は、前述したフレーム部１２０内のチャンバー１６２、送風機１６４、センサー１６６（図１０参照）及び制御装置１７０（図１０参照）を有している。
【００３０】
フレーム部１２０の座部側フレーム１２２の側面には、送風機１６４が設けられており、チャンバー１６２内に空気を送風する。チャンバー１６２に送風された空気は、矢印Ｓで示すように、チャンバー１６２から天蓋１５０の後端部１５０Ｂの開口から外面材１５２と内面材１５４との間に導入され、内面材１５４の複数の通気孔１５６（図２（Ａ）及び図３（Ａ）も参照）から噴出する。矢印Ｊは、内面材１５４の通気孔１５６から噴出する空気を表している。
【００３１】
なお、送風機１６４がチャンバー１６２に送風する空気は、天蓋付き椅子１００の周囲の外気であってもよいし、図示していない空調器で温湿度が調整された冷風や温風等であってもよい。
【００３２】
図１０に示すセンサー１６６は、背もたれ側フレーム１２４（図１（Ｂ）等を参照）内に設けられ、天蓋１５０の後端部１５０Ｂ（図１（Ｂ）等を参照）の位置を検出することで、天蓋１５０の背もたれ側フレーム１２４（図１（Ｂ）等を参照）への収納量、つまり天蓋１５０の展開量を検出する。なお、センサー１６６は、マグネットセンサーやポテンショメータ等を用いることができる。
【００３３】
また、本実施形態では、制御装置１７０は、椅子本体１１０内又は椅子本体１１０に隣接して設けられ、送風機１６４及びセンサー１６６と電気的に接続されている。送風機１６４のファン１６５（図１（Ｂ）等を参照）の回転速度、つまり送風機１６４の風量は、制御装置１７０によって制御されている。
【００３４】
制御装置１７０は、センサー１６６が検出した天蓋１５０の後端部１５０Ｂの位置から背もたれ側フレーム１２４内への収納量、つまり天蓋１５０の展開量を検出し、その検出結果に基づき、送風機１６４のファン１６５（図１（Ｂ）等を参照）の回転速度、つまり風量を調整する。
【００３５】
具体的には、制御装置１７０は、天蓋１５０の展開量が小さくなるに従って、ファン１６５（図１（Ｂ）等を参照）の回転速度を遅くし、風量を少なくする。より具体的には、制御装置１７０は、天蓋１５０の展開量と送風機１６４の風量との比率が一定になるように送風機１６４を制御する。更に別の観点から説明すると、制御装置１７０は、天蓋１５０の内面材１５４から噴出する空気の単位面積当たりの噴出量（本実施形態では各通気孔１５６から噴出する空気の噴出量）が一定又は略一定となるように、送風機１６４を制御する。
【００３６】
なお、制御装置１７０には、人１０（図４参照）が送風機１６４の起動、停止及び風量の調整等を行う図示してない操作装置が電気的に接続されている。
【００３７】
［作用及び効果］
次に、本実施形態の作用及び効果について説明する。
【００３８】
図４に示すように、天蓋１５０の通気性が無い外面材１５２と通気性が有る内面材１５４との間にチャンバー１６２を介して送風機１６４から送風することで、椅子本体１１０に座った人１０の直上にある天蓋１５０の内面材１５４から空気が人１０に向かって噴出する。このように、天蓋１５０の内面材１５４の全面から空気が人１０の周囲を包み込むように噴出されるので、快適感が向上する。
【００３９】
また、天蓋付き椅子１００では、天蓋１５０の展開量を変更することで、椅子本体１１０に座った人１０の視線カット量や遮音量等を調節することができる。
【００４０】
このとき天蓋付き椅子１００は、天蓋１５０の展開量に応じて送風機１６４の風量が調整されるので、天蓋１５０の展開量を小さくしても内面材１５４から噴出される空気の噴出速度の増加が抑制される。よって、天蓋１５０の展開量が小さくなったときに噴出量が増加することで感じる不快感が抑制される。
【００４１】
また、天蓋１５０は、背もたれ側フレーム１２４内に格納されるので、省スペースである。
【００４２】
＜変形例＞
次に、第一実施形態における天蓋の変形例について説明する。
【００４３】
図８（Ａ）に示す本変形例の天蓋付き椅子１０２の側板部２４０は、前述の側板部１４０（図１（Ｂ）等参照）とは、高さが椅子本体１１０の高さと略同じである点とレール１４２（図２（Ｂ）等参照）が設けられていない点とが異なっている。
【００４４】
図８に示すように、天蓋５５０は、複数の箱部５５２が蝶番５６０で連結された構成となっている。各箱部５５２は、内面材５５４に複数の通気孔５５６が形成されている。  図８（Ｂ）に示すように、箱部５５２における連結方向の側面５５３は開口部５５３Ａが形成され、開口部５５３Ｂ同士は、伸縮性のあるダクト５６２で繋がれている。
【００４５】
図８（Ａ）に示すように、蝶番５６０は、予め定められた角度（本実施形態では約２００°）までしか開かないように構成されている。よって、複数の箱部５５２が蝶番５６０で連結されて構成された天蓋２５０は、椅子本体１１０の背もたれ側フレーム１２４の上端部から突出し、支持部材がなくても、椅子本体１１０に座った人１０（図４参照）の上方を覆うようことが可能となっている。
【００４６】
なお、天蓋２５０は、フレーム部１２０の背もたれ側フレーム１２４に収納され、その収納量によって展開量が変更される。
【００４７】
また、送風機１６４（図１（Ｂ）等を参照）からチャンバー１６２に送風された空気は、チャンバー１６２を介して天蓋５５０の後端部の開口部５５３Ａ（図８（Ｂ）参照）から箱部５５２に導入され、内面材５５４の複数の通気孔５５６から噴出する。
【００４８】
図１０に示す制御装置１７０は、センサー１６６が検出した天蓋５５０（図８参照）の後端部の位置から背もたれ側フレーム１２４（図８（Ａ）参照）内への収納量、つまり天蓋２５０の展開量を検出し、その検出結果に基づき、送風機１６４のファン１６５（図１（Ｂ）等を参照）の回転速度、つまり風量を調整する。
【００４９】
具体的には、制御装置１７０は、天蓋５５０の展開量が小さくなるに従って、ファン１６５（図１（Ｂ）等を参照）の回転速度を遅くし、風量を少なくする。より具体的には、制御装置１７０は、天蓋５５０の展開量と送風機１６４の風量との比率が一定になるように送風機１６４を制御する。更に別の観点から説明すると、制御装置１７０は、天蓋５５０の内面材１５４から噴出する空気の単位面積当たりの噴出量（本変形例では各通気孔５５６から噴出する空気の噴出量）が一定又は略一定となるように、送風機１６４を制御する。
【００５０】
＜第二実施形態＞
次に第二実施形態の天蓋付き椅子について説明する。なお、変形例を含む第一実施形態と同一の部材には同一の符号を付し、重複する説明は省略する。
【００５１】
［構造］
まず、本実施形態の天蓋付き椅子２００の構造について説明する。
【００５２】
図５〜図７に示すように、天蓋付き椅子１００は、人１０（図４参照）が座ることができる椅子本体１１０と、椅子本体１１０に座った人１０（図４参照）の上方を覆う天蓋２５０と、側板部２４０と、送風機構１６０（図１０参照）と、を有している。
【００５３】
椅子本体１１０は、第一実施形と略同様の構造であるので、説明を省略する。図５（Ａ）、図６（Ａ）及び図７（Ａ）に示すように、側板部２４０は、椅子本体１１０のＸ方向の両外側に設けられている。
【００５４】
また、図５〜図７に示すように、天蓋２５０は、椅子本体１１０の背もたれ側フレーム１２４の上端部から突出し、椅子本体１１０に座った人１０（図４参照）の上方を覆うように構成されている。
【００５５】
図５（Ｂ）、図６（Ｂ）及び図７（Ｂ）に示すように、天蓋２５０は、外面材２５２と内面材２５４とが面外方向に間隔をあけて配置されている。外面材２５２は通気性の無い布で構成され、内面材２５４は通気性を有する布で構成されている。なお、天蓋２５０の前端部２５０Ａ及び側面２５０Ｃは、外面材２５２で構成されている。また、天蓋２５０の後端部２５０Ｂは開口している。
【００５６】
天蓋２５０は、下側が開口した逆Ｕ字状の針金等で構成された複数の逆Ｕ字フレーム２６２で形が維持されている。また、この逆Ｕ字フレーム２６２の下端部は、椅子本体１１０のフレーム部１２０に回転自在に設けられた回転ピン２６４に連結されている。
【００５７】
よって、天蓋２５０は、逆Ｕ字フレーム２６２を回転をさせることで、蛇腹状に折り畳まれ、折畳量によって椅子本体１１０に座った人１０（図４参照）の上方を覆う面積、つまり天蓋２５０の展開量が変更可能に構成されている。
【００５８】
送風機構１６０は、第一実施形態と同じであるので、説明を省略する。なお、本実施形態のセンサー１６６（図１０参照）は、最前方に配置された逆Ｕ字フレーム２６２の回転角度を検出することで、折畳量を検出、つまり天蓋２５０の展開量を検出する。
【００５９】
制御装置１７０は、センサー１６６が検出した天蓋１５０の展開量を検出し、その検出結果に基づき、送風機１６４のファン１６５（図５（Ｂ）等を参照）の回転速度、つまり風量を調整する。
【００６０】
また、制御装置１７０は、本実施形態においても天蓋２５０の展開量が小さくなるに従って、ファン１６５（図５（Ｂ）等を参照）の回転速度を遅くし、風量を少なくする。より具体的には、制御装置１７０は、天蓋２５０の展開量と風量との比率が一定になるように送風機１６４を制御する。更に別の観点から説明すると、制御装置１７０は、天蓋２５０の内面材２５４から噴出する空気の単位面積当たりの噴出量が一定又は略一定となるように、送風機１６４を制御する。
【００６１】
［作用及び効果］
次に、本実施形態の作用及び効果について説明する。
【００６２】
図５（Ｂ）、図６（Ｂ）及び図７（Ｂ）に示すように、天蓋２５０の通気性が無い外面材２５２と通気性が有る内面材２５４との間にチャンバー１６２を介して送風機１６４から送風することで、椅子本体１１０に座った人１０（図４参照）の直上にある天蓋２５０の内面材２５４から空気が人１０に向かって噴出する。このように、天蓋２５０の内面材２５４の全面から空気が人１０（図４参照）の周囲を包み込むように噴出されるので、快適感が向上する。
【００６３】
また、天蓋付き椅子２００では、天蓋２５０の展開量を変更することで、椅子本体１１０に座った人１０（図４参照）の視線カット量や遮音量等を調節することができる。
【００６４】
このとき、天蓋付き椅子２００は、天蓋２５０の展開量に応じて送風機１６４の風量が調整されるので、天蓋２５０の展開量を小さくしても内面材２５４から噴出される空気の噴出速度の増加が抑制される。よって、天蓋２５０の展開量が小さくなったときに噴出量が増加することで感じる不快感が抑制される。
【００６５】
また、天蓋２５０は、背もたれ部１３２側に折り畳まれるので、省スペースである。
【００６６】
＜第三実施形態＞
次に第三実施形態の天蓋付きベッドについて説明する。なお、変形例を含む第一実施形態及び第二実施形態と同一の部材には同一の符号を付し、重複する説明は省略する。
【００６７】
［構造］
まず、本実施形態の天蓋付きベッド３００の構造について説明する。
【００６８】
図９に示すように、天蓋付きベッド３００は、人１０が横たわることができるベッド本体３１０と、ベッド本体３１０に横たわった人１０の上方を覆う天蓋１５０と、送風機構１６０と、を有している。
【００６９】
ベッド本体３１０は、マットレス３３０とマットレス３３０を支持するフレーム部３２０とを有している、フレーム部３２０は、マットレス３３０を支持するフレーム本体３２２と、ヘッドボード部３２４と、フットボード部３２５と、を有している。
【００７０】
ヘッドボード部３２４の上端部におけるＹ方向と直交する幅方向の両側端部と、フットボード部３２５の上端部におけるＹ方向と直交する幅方向の両側端部とは、レール３４２が形成されたレール部３４０で連結されている。なお、レール３４２は、フレーム部３２０のヘッドボード部３２４内にも連続して設けられている。また、フレーム部３２０内の一部は空洞になっており、送風機構１６０のチャンバー１６２の機能を有している。
【００７１】
天蓋１５０は、第一実施形態と同様の構造であり、レール部３４０のレール３４２に挿入され、嵌め込まれている。天蓋１５０は、レール３４２に沿って移動し、ベッド本体３１０に横たわった人１０の上方を覆う面積、つまり展開量が変更可能に構成されている。別の観点から説明すると、天蓋１５０は、フレーム部３２０のヘッドボード部３２４に収納され、その収納量によって展開量が変更される。
【００７２】
センサー１６６（図１０参照）は、ヘッドボード部３２４内に設けられ、天蓋１５０の後端部１５０Ｂの位置を検出することで、天蓋１５０のヘッドボード部３２４内への収納量、つまり展開量を検出する。
【００７３】
また、本実施形態では、制御装置１７０（図１０参照）は、ベッド本体３１０内又はベッド本体３１０に隣接して設けられている。
【００７４】
制御装置１７０（図１０参照）は、センサー１６６（図１０参照）が検出した天蓋１５０の後端部１５０Ｂの位置からヘッドボード部３２４内への収納量、つまり天蓋１５０の展開量を検出し、その検出結果に基づき、送風機１６４のファン１６５の回転速度、つまり風量を調整する。なお、具体的な制御は、第一実施形態及び第二実施形態と同様であるので、説明は省略する。
【００７５】
［作用及び効果］
次に、本実施形態の作用及び効果について説明する。
【００７６】
天蓋１５０の通気性が無い外面材１５２と通気性が有る内面材１５４との間にチャンバー１６２を介して送風機１６４から送風することで、ベッド本体３１０に横たわった人１０の直上にある天蓋１５０の内面材１５４から空気が人１０に向かって噴出する。このように、天蓋１５０の内面材１５４の全面から空気が横たわった人１０全体に噴出されるので、快適感が向上する。
【００７７】
また、天蓋付きベッド３００では、天蓋１５０の展開量を変更することで、ベッド本体３１０に横たわった人１０の視線カット量や遮音量等を調節することができる。
【００７８】
このとき、天蓋付きベッド３００は、天蓋１５０の展開量に応じて送風機１６４の風量が調整されるので、天蓋１５０の展開量を小さくしても内面材１５４から噴出される空気の噴出速度の増加が抑制される。よって、天蓋１５０の展開量が小さくなったときに噴出量が増加することで感じる不快感が抑制される。
【００７９】
また、天蓋１５０は、ヘッドボード部３２４内に格納されるので、省スペースである。
【００８０】
なお、本実施形態の天蓋は、第一実施形態と同様に天蓋１５０であったが、これに限定されない。第一実施形態の変形例の天蓋５５０（図８を参照）又は第二実施形態の天蓋２５０（図５等を参照）であってもよい。
【００８１】
＜その他＞
尚、本発明は上記実施形態に限定されない。
【００８２】
例えば、上記実施形態では、送風手段の一例として送風機構１６０は、椅子本体１１１０又はベッド本体３１０に組み込まれていたが、これに限定されない。例えば、送風装置１６４が椅子本体１１１０又はベッド本体３１０とは別の場所にあり、ダクトを介して椅子本体１１０又はベッド本体３１０に送風してもよい。この場合、風量の調整は上記実施形態と同様に送風装置１６４の風量を調整してもよいし、ダクトにバルブ等の風量調整機構を設けて風量を調整してもよい。
【００８３】
また、例えば、上記実施形態の天蓋１５０、２５０、５５０は椅子本体１１０又はベッド本体３１０と一体的に構成されていたが、これに限定されない。天蓋１５０、２５０、５５０は、椅子本体１１０又はベッド本体３１０と別体となった構成であってもよい。
【００８４】
また、例えば、上記実施形態の天蓋付き椅子１００、１０２では、背もたれ部１３２の後の背もたれ側フレーム１２４に天蓋１５０、５５０が収納されるが、これに限定されない。背もたれ部１３２内に天蓋１５０、５５０が収納される構成であってもよい。
【００８５】
また、例えば、天蓋は、上記実施形態の天蓋１５０、２５０、５５０の構成に限定されない。通気性が無い外面と通気性が有る内面とを有する展開量が変更可能な天蓋であればよい。
【００８６】
また、例えば、上記実施形態の天蓋付き椅子１００、１０２、２００及び天蓋付きベッド３００は、天蓋１５０、２５０、５５０からのみ空気が噴出するが、これに限定されない。天蓋１５０、２５０、５５０に加え座部１３０の座面、背もたれ部１３２の背もたれ面及びマットレス３３０の上面からも空気が噴出してもよい。また、天蓋付き椅子１００、１０２、２００に肘掛が有る場合は、肘掛からも空気が噴出してもよい。
【００８７】
また、上記実施形態では、家具本体は、椅子本体１１０又はベッド本体３１０であったが、これらに限定されない。なお、椅子本体の概念には、ソファーやベンチシート等が含まれる。
【００８８】
更に、本発明の要旨を逸脱しない範囲において種々なる態様で実施し得る。
【符号の説明】
【００８９】
１０      人
１００      天蓋付き椅子（天蓋付き家具の一例）
１０２      天蓋付き椅子（天蓋付き家具の一例）
１１０      椅子本体（家具本体の一例）
１２４      背もたれ側フレーム（格納部の一例）
１３０      座部
１３２      背もたれ部
１５０      天蓋
１５２      外面材（外面）
１５４      内面材（内面）
１６０      送風機構（送風手段の一例）
２００      天蓋付きの椅子（天蓋付き家具の一例）
２５０      天蓋
２５２      外面材（外面）
２５４      内面材（内面）
３００      天蓋付きベッド（天蓋付き家具の一例）
３１０      ベッド本体（家具本体の一例）
５５０      天蓋
５５２      箱部（外面の一例）
５５４      内面材（内面）
【図１】
2020018676.tif 000003
【図２】
2020018676.tif 000004
【図３】
2020018676.tif 000005
【図４】
2020018676.tif 000006
【図５】
2020018676.tif 000007
【図６】
2020018676.tif 000008
【図７】
2020018676.tif 000009
【図８】
2020018676.tif 000010
【図９】
2020018676.tif 000011
【図１０】
2020018676.tif 000012